(57)【要約】【課題】２枚の引き戸の連動動作に誤差を生ずる恐れがない連動式引き違い戸装置とする。【解決手段】内戸１１の左右両端部に２個のローラ１７，１８を回転自在に配設し、外戸１２の左右両端部に一端部を固定した２本のワイヤ２１，２２を互いに逆方向に引き出して各ローラ１７，１８の外周に掛け渡し、そして、建物側の袖壁部８の左右両端部に固定する。これにより、外戸１２を開閉方向に移動操作すると、内戸１１が外戸１２に連動して２分の１の距離だけ移動する。【選択図】図１
2009097238.tif 000002
【特許請求の範囲】
【請求項１】
建物の開口部の片側半分ずつを閉鎖する状態になる閉鎖位置と前記開口部に隣接する袖壁部に対して前後方向に重なる状態になる開放位置との間で移動可能な２枚の引き戸と、
前記２枚の引き戸のうち前記開口部の前記袖壁部側の半分を閉鎖する一方の引き戸に左右方向に離して回転自在に取り付けられた２個の回転体と、
夫々の途中部分が前記各回転体に掛け渡され、夫々の一端部が前記各回転体から互いに反対方向に引き出されて前記２枚の引き戸のうち前記開口部の前記袖壁部とは反対側の半分を閉鎖する他方の引き戸に左右方向に離して固定され、且つ夫々の他端部が前記各回転体から互いに反対方向に引き出されて前記建物側に左右方向に離して固定された第１および第２の索部材と
を具備し、前記２枚の引き戸のうち、いずれかの引き戸を開閉方向に移動操作すると、前記第１および第２の索部材のうち前記移動操作方向に応じたいずれかの索部材が引っ張られて残る引き戸を前記移動操作方向と同方向に移動させることにより、前記回転体を備えた前記一方の引き戸が前記他方の引き戸の半分の移動量で移動する関係をもって、それら２枚の引き戸が前記閉鎖位置と前記開放位置との間で移動するように構成してなる連動式引き違い戸装置。
【請求項２】
請求項１記載の連動式引き違い戸装置において、
前記２枚の引き戸の上下両側は夫々案内部に移動可能に支持され、且つそのうち下側は戸車を介して前記案内部に支持されており、
前記２個の回転体は前記一方の引き戸の上下両側のうちの一方側の左右両端部に水平面内で回転するように配設され、
前記第１および第２の索部材のうち第１の索部材は、一端部が前記他方の引き戸の上下両側のうちの前記一方側の右端部に固定され、且つ途中部分が前記２個の回転体のうち左側の回転体の左側外周に掛けられて他端部が前記袖壁部の上下両側のうちの前記一方側の右端部に固定され、
前記第１および第２の索部材のうち第２の索部材は、一端部が前記他方の引き戸の上下両側のうちの前記一方側の左端部に固定され、且つ途中部分が前記２個の回転体のうち右側の回転体の右側外周に掛けられて他端部が前記袖壁部の上下両側のうちの前記一方側の左端部に固定されていることを特徴とする連動式引き違い戸装置。
【請求項３】
請求項１または２記載の連動式引き違い戸装置において、
前記２個の回転体は、前記一方の引き戸の上面部の左右両端部に形成された切欠部の内側に配設され、
前記第１および第２の索部材の両端部は、前記他方の引き戸および前記袖壁部の夫々の上面部の左右両端部に形成された切欠部の内側において固定され、
更に、前記２枚の引き戸および前記袖壁部に形成された前記切欠部、前記回転体、前記第１および第２の索部材を隠すための隠し部材が前記２枚の引き戸および前記袖壁部の前側に位置して配設されていることを特徴とする連動式引き違い戸装置。
【発明の詳細な説明】
【技術分野】
【０００１】
本発明は組立建物などの開口部に設けられる引き違い戸装置に係り、特に２枚の引き戸が連動して開閉方向に移動するように構成した連動式引き違い戸装置に関する。
【背景技術】
【０００２】
例えば、組立物置では、一般に、その前面の開口部を２枚の引き戸によって開閉するようにしており、特許文献１では、その２枚の引き戸を連動式としている。この特許文献１に示された連動式引き違い戸装置は、建物開口部の上端縁に沿って溝形の固定レールを架設し、この固定レール上に内戸の上端縁上に設けた車輪を転動自在に支持し、外戸の上端縁上に固定した可動レールを内戸の車輪上に載せるという構成で、外戸を開閉方向に移動操作すると、外戸の移動に伴って可動レールが内戸の車輪を回転させ、内戸の車輪はその回転によって固定レール上を転動することとなるので、外戸の開閉移動に連動して内戸が外戸の半分の距離だけ移動するというものである。
【特許文献１】特開平８−１５８７３２号公報
【発明の開示】
【発明が解決しようとする課題】
【０００３】
特許文献１の構造では、内戸の車輪は、外戸の可動レールとの摩擦によって回転し、また、固定レールとの摩擦によって固定レール上を転動する。このため、車輪に雨水などが付着したりすると、車輪が可動レール或いは固定レールに対してスリップし易くなり、実際にスリップを生ずると、外戸と内戸の連動動作に誤差を生じ、外戸と内戸との間に隙間が生じたりして開口部を完全に閉鎖できなくなったりする。
【０００４】
本発明は上記の事情に鑑みてなされたもので、その目的は、２枚の引き戸の連動動作に誤差を生ずる恐れがない連動式引き違い戸装置を提供することにある。
【課題を解決するための手段】
【０００５】
本発明は、建物の開口部の片側半分ずつを閉鎖する状態になる閉鎖位置と前記開口部に隣接する袖壁部に対して前後方向に重なる状態になる開放位置との間で移動可能な２枚の引き戸と、  前記２枚の引き戸のうち前記開口部の前記袖壁部側の半分を閉鎖する一方の引き戸に左右方向に離して回転自在に取り付けられた２個の回転体と、夫々の途中部分が前記各回転体に掛け渡され、夫々の一端部が前記各回転体から互いに反対方向に引き出されて前記２枚の引き戸のうち前記開口部の前記袖壁部とは反対側の半分を閉鎖する他方の引き戸に左右方向に離して固定され、且つ夫々の他端部が前記各回転体から互いに反対方向に引き出されて前記建物側に左右方向に離して固定された第１および第２の索部材とを具備し、前記２枚の引き戸のうち、いずれかの引き戸を開閉方向に移動操作すると、前記第１および第２の索部材のうち前記移動操作方向に応じたいずれかの索部材が引っ張られて残る引き戸を前記移動操作方向と同方向に移動させることにより、前記回転体を備えた前記一方の引き戸が前記他方の引き戸の半分の移動量で移動する関係をもって、それら２枚の引き戸が前記閉鎖位置と前記開放位置との間で移動するように構成してなる連動式引き違い戸装置にある（請求項１）。
【０００６】
また、本発明では、前記２枚の引き戸の上下両側は夫々案内部に移動可能に支持され、且つそのうち下側は戸車を介して前記案内部に支持されており、前記２個の回転体は前記一方の引き戸の上下両側のうちの一方側の左右両端部に水平面内で回転するように配設され、前記第１および第２の索部材のうち第１の索部材は、一端部が前記他方の引き戸の上下両側のうちの前記一方側の右端部に固定され、且つ途中部分が前記２個の回転体のうち左側の回転体の左側外周に掛けられて他端部が前記袖壁部の上下両側のうちの前記一方側の右端部に固定され、前記第１および第２の索部材のうち第２の索部材は、一端部が前記他方の引き戸の上下両側のうちの前記一方側の左端部に固定され、且つ途中部分が前記２個の回転体のうち右側の回転体の右側外周に掛けられて他端部が前記袖壁部の上下両側のうちの前記一方側の左端部に固定されている構成とすることができる（請求項２）。
【０００７】
更に、本発明では、前記第１および第２の索部材の両端部は、前記他方の引き戸および前記袖壁部の夫々の上面部の左右両端部に形成された切欠部の内側において固定され、更に、前記２枚の引き戸および前記袖壁部に形成された前記切欠部、前記回転体、前記第１および第２の索部材を隠すための隠し部材が前記２枚の引き戸および前記袖壁部の前側に位置して配設されている構成を採用することができる（請求項３）。
【発明の効果】
【０００８】
請求項１の発明によれば、２枚の引き戸のうち、いずれかの引き戸を開閉方向に移動操作すると、第１および第２の索部材のうち、引き戸の移動操作方向に応じたいずれかの索部材が引っ張られて残る引き戸を移動させる。このように２枚の引き戸は、引張力が与えられる索部材によって連動関係が維持されるので、連動動作に誤差を生ずる恐れがない。
【０００９】
請求項２の構成を採用した場合には、両引き戸を前後の振れ動きを生ずることなく楽に開閉操作でき、また、２枚の引き戸の互いの重なり量、および引き戸と袖壁部との重なり量の少ない状態で開口部を閉鎖することができる。
【００１０】
更に、請求項３の構成を採用した場合には、回転体、第１および第２の索部材を外部から見えないように隠すことができ。
【発明を実施するための最良の形態】
【００１１】
以下、本発明の一実施形態を組立物置（組立建物）に適用して図１ないし図６を参照しながら説明する。まず、図６に示すように、組立物置１の下部は、前、後、左、右の各下枠２を矩形状に接合して構成されており、これら下枠２の接合部に支柱３が立設されていると共に、左右の前後に位置する支柱３間と後の左右に位置する支柱３間に間柱４（１本のみ図示）が立設されている。そして、支柱３および間柱４の上端部には、前、後、左、右の各上枠５が矩形状に接合されている。
【００１２】
上記下枠２、支柱３、間柱４および上枠５によって組立物置１の躯体が構成される。そして、この躯体の左右両側の開放部分および後側の開放部分は、夫々左右両側と後側の支柱３および間柱４の相互間に配設された複数枚の壁面パネル６によって塞がれている。また、躯体の天井部は、上枠５上に取り付けられた屋根板７によって塞がれ、躯体の前面の開口部のうち、右側のほぼ３分の１の部分は、右側の支柱３、下枠２および上枠５に固定された袖壁部８によって塞がれている。
【００１３】
以上により、前面の袖壁部８の左側を出入り用の開口部９とした組立物置１が構成される。この組立物置１の前面の開口部９には、本発明に係る連動式引き違い戸装置１０が設けられている。即ち、連動式引き違い戸装置１０は、２枚の引き戸１１，１２から構成されており、それら引き戸１１，１２は、開口部９の片側半分ずつを閉鎖する。具体的には、一方の引き戸１１は、開口部９のうちの袖壁部８側の半分を閉鎖し、他方の引き戸１２は、開口部９のうち袖壁部８とは反対側の半分を閉鎖する。
【００１４】
これら両引き戸１１，１２の下端部の左右両側には、図３に示すように、夫々戸車１３が取り付けられていると共に、上端部の左右両側には、夫々摺動部材１４が取り付けられている。なお、摺動部材１４は、低摩擦材料、例えばジュラコンなどの樹脂製とすることが好ましい。一方、組立物置１の前側の下枠２の上面（開口部９の内部下面）には、その下枠２の左右方向全体にわたって２本の凸状の下レール（案内部）１５が前後に並べて平行に形成されている。また、前側の上枠５の下面（開口部９の内部上面）には、その上枠５の左右方向全体にわたって２本の凸状の上レール（案内部）１６が前後に並べて平行に形成されている。これら下レール１５および上レール１６は、共に袖壁部８の前側に位置され、且つ互いに直上直下の関係となる位置に形成されている。なお、下レール１５および上レール１６は、下枠２および上枠５と別体のものであっても良い。
【００１５】
そして、２枚の引き戸１１，１２は、戸車１３の溝１３ａを夫々前後の下レール１５に嵌合させると共に、摺動部材１４の溝１４ａを夫々前後の上レール１６に嵌合させることにより、下側が戸車１３を介して下レール１５に移動可能に支持されると共に、上側が摺動部材１４を介して上レール１６に移動可能に支持されている。これにより、両引き戸１１，１２は、夫々上下のレール１５，１６に沿って移動し、開口部９を開閉する。なお、以下の説明では、後側の上下のレール１５，１６に支持された引き戸１１を内戸１１と称し、前側の上下のレール１５，１６に支持された引き戸１２を外戸１２と称することとする。
【００１６】
上記内戸１１および外戸１２の上面部の左右両端部は、図４および図５に示すように、夫々ほぼ直角に切り下げられて切欠部１１ａ，１１ｂおよび１２ａ，１２ｂとして形成されている。また、袖壁部８の上面部の左右両端部も、同様に直角に切り下げられて切欠部８ａ，８ｂ（図２（ｂ）参照）として形成されている。そして、内戸１１の左右両端部の切欠部１１ａ，１１ｂの内側には、回転体としての第１および第２のローラ１７および１８が回転自在に配設されている。この場合、両ローラ１７，１８は、中心軸としての段付きねじ１９，２０を縦軸型にして切欠部１１ａ，１１ｂの底面に取り付けることによって水平面内で回転するようになっている。
【００１７】
図１（ｂ）に示すように、第１および第２のローラ１７および１８には、夫々第１および第２の索部材としての第１および第２のワイヤ２１および２２が掛け渡される。そのうち、第１のワイヤ２１は、一端部が外戸１２の右端側の切欠部１２ｂの底面に固定されて左方へと引き出され、そして途中部分が内戸１１の左端側の第１のローラ１７の左側外周に掛け渡された後、右方へと引き出されて他端部が組立物置１側の部材である袖壁部８の右端側の切欠部８ｂの底面に固定されている。また、残る第２のワイヤ２２は、一端部が外戸１２の左端側の切欠部１２ａの底面に固定されて右方へと引き出され、そして途中部分が内戸１１の右端側の第２のローラ１８の右側外周に掛け渡された後、左方へと引き出されて他端部が袖壁部８の左端部の切欠部８ａの底面に固定されている。この場合、両ワイヤ２１，２２は、弛みなくローラ２１，２２に掛け渡されるものとする。
【００１８】
なお、両ワイヤ２１，２２の両端部の固定構造は、ワイヤ２１，２２の両端部を円形に曲げ、図５に示すように、この円形部分の中心にねじ２３を通し、そして、このねじ２３を切欠部８ａ，８ｂ，１２ａ，１２ｂの底面にねじ込むことにより、ワイヤ２１，２２の両端部を締め付けて固定するというものである。また、切欠部８ａ、８ｂ，１１ａ，１１ｂ，１２ａ，１２ｂの角部がワイヤ２１，２２と接触する場合、その角部に丸みを帯びさせたり、その角部に小ローラを取り付けてこれにワイヤ２１，２２を接触させたりしても良い。ちなみに、図１（ｂ）、図２（ｂ）では、ワイヤ２１，２２の掛け渡しは、切欠部８ａ、８ｂ，１１ａ，１１ｂ，１２ａ，１２ｂのないものとして示している。
【００１９】
以上のように、第１および第２のワイヤ２１および２２は、両戸１１，１２が開放位置にある状態において、夫々途中が各ローラ１７および１８に掛け渡されて、両端部が各ローラ１７および１８から互いに交差するように互いに逆方向に引き出されて袖壁部８と外戸１２とに固定されており、これら第１および第２のワイヤ２１および２２は、第１および第２のローラ１７および１８と共に動滑車機構を構成する。
【００２０】
そして、この滑車機構を構成するローラ１７，１８と、ワイヤ２１，２２と、ローラ１７，１８およびワイヤ２１，２２の両端部が位置する切欠部８ａ、８ｂ，１１ａ，１１ｂ，１２ａ，１２ｂを組立物置１の外側、特に前側から見えないように隠すために、図３に示すように、前側の上枠５の前部に、隠し部材としてのカバー板２４が取り付けられている。このカバー板２４は、上枠５から所定長さ下方に突出し、切欠部１１ａ，１１ｂ，１２ａ，１２ｂ、両ローラ１７，１８、両ワイヤ２１，２２を隠している。
【００２１】
次に、上記のように構成した連動式引き違い戸装置１０の作用を説明する。なお、本実施形態では、連動式引き違い戸装置１０の開閉は、外戸１２を操作することによって行うことを基本としており、そのために、外戸１２に手掛け部２５が設けられているが、操作しない内戸１１には手掛部は設けられていない。
【００２２】
連動式引き違い戸装置１０を開放した状態では、内戸１１および外戸１２は、図１に示すように、袖壁部８に対して前後方向に重なった状態にあって開口部９を全開している。この状態で、外戸１２の手掛け部２５に手を掛けて閉鎖方向である左方に移動操作すると、外戸１２の左端側の切欠部１２ａに固定された第２のワイヤ２２の前側の端部が左方に引っ張られるため、内戸１１の右端側の第２のローラ１８を回転させながら内戸１１を左方向に押圧移動させる。
【００２３】
このとき、外戸１２の移動に連動する内戸１１の移動距離は、外戸１２の移動距離の半分となる。このため、外戸１２が左側の支柱３に当接する位置まで移動して開口部９の袖壁部８とは反対側の半分を閉鎖すると、図２に示すように、内戸１１が外戸１２の移動距離の半分だけ移動して開口部９の袖壁部８側の半分を閉鎖する位置に至る。この内外両戸１１，１２で開口部９の片側半分ずつを閉鎖した閉鎖位置から、外戸１２の手掛け部２５に手を掛けて開放方向である右方向に移動操作すると、今度は、外戸１２の右端側の切欠部１２ｂに固定された第１のワイヤ２１の前側の端部が右方に引っ張られるため、第１のワイヤ２１が内戸１１の左端側の第１のローラ１７を回転させながら内戸１１を右方向に押圧移動させる。
【００２４】
このときも、外戸１２の移動に連動する内戸１１の移動距離は、外戸１２の移動距離の半分となるため、図１に示すように、外戸１２が右側の支柱３に当接する位置まで移動して袖壁部８に重なった状態になると、内戸１１が外戸１２の移動距離の半分だけ移動して同じく右側の支柱３に当接して袖壁部８に重なった状態となって開口部９を完全に開放した開放位置に至る。
【００２５】
このように本実施形態の連動式引き違い戸装置１０によれば、外戸１２の移動に連動して内戸１１が外戸１２の半分の移動量だけ移動するので、外戸１２を前部右側の支柱３或いは前部左側の支柱３に当接するまで開閉方向に移動させることによって開口部９を開閉することができる。この連動式引き違い戸装置１０では、外戸１２の移動に伴ってワイヤ２１，２２が引っ張られることにより、ワイヤ２１，２２がローラ１７，１８を押して内戸１１を移動させるので、たとえワイヤ２１，２２とローラ１７，１８との間にスリップを生じたとしても、外戸１２に対する内戸１１の連動動作に誤差が生ずる恐れはなく、外戸１２が開口部９の片側半部を閉鎖する位置まで移動したとき、内戸１１は残る片側半分を閉鎖する位置に確実に移動するようになる。
【００２６】
しかも、内戸１１の移動距離は常に外戸１２の移動距離の半分となるので、内戸１１を移動させるに必要な力は内戸１１を単独で移動させる場合の半分の力で済み、その結果、外戸１２を内戸１１と共に連動して移動させる際の移動操作力が小さくて済む。
【００２７】
また、本実施形態では、第1、第２のローラ１７，１８を内戸１１の左右両端部に配置し、左端側の第１のローラ１７に掛け渡した第１のワイヤ２１の両端部を袖壁部８、外戸１２の右端部に固定すると共に、右端部の第２のローラ１８に掛け渡した第２のワイヤ２２の両端部を袖壁部８、外戸１２の左端部に固定したので、開口部９を閉鎖した状態での内戸１１と外戸１２の重なり量、内戸１１と袖壁部８との重なり量を極力少なくして袖壁部８、内戸１１および外戸１２の幅を極力狭いものとすることができる。
【００２８】
また、前記特許文献１に開示された連動方式では、固定レール上に載せられた車輪には当該内戸の重量が作用し、内戸の車輪上に載せられる外戸の可動レールには当該外戸の重量が作用しなければならないので、内戸および外戸は、いずれも吊り下げ型とされているが、この吊り下げ型の引き戸では、前後方向の振れが発生する。これに対し、本実施形態では、両戸１１，１２は、重量が戸車１３を介して下レール１５に支えられ、上側が摺動部材１４を介して上レール１６に前後の振れが生じないように支持されているので、開閉動作を楽に安定的に行うことができる。
【００２９】
なお、本発明は上記し且つ図面に示す実施形態に限定されるものではなく、以下のような拡張或いは変更が可能である。
ローラ１７，１８の配設位置は、必ずしも内戸１１の左右両端部に限られず、図７に示すように、ローラ１７，１８を内戸１１の中心寄りに配設しても良い。また、ワイヤ２１，２２の両端部の固定位置は、必ずしも外戸１２、袖壁部８の左右両端部に限られず、図７に示すように、外戸１２、袖壁部８の中心寄りにしても良い。
第１、第２の索部材を構成するワイヤ２１，２２は、図８に示すように、１本のワイヤＷから構成し、途中部分の２箇所を外戸１２に固定するようにしても良い。
ローラ１７，１８の配設位置、ワイヤ２１，２２の両端部の固定位置は、内戸１１、外戸１２、袖壁部８の上端部に限られず、下端部であっても良いし、上下両端間の中間の位置であっても良い。
【００３０】
ワイヤ２１，２２の端部を袖壁部８に固定することに変えて、組立物置側である前側の上枠５、下枠２に固定するようにしても良い。
内戸１１に手を掛けて開閉操作するようにしても良い。この場合には、外戸１２が内戸１１の２倍の移動量で操作方向に移動するので、内戸１１を操作する場合に比べて強い操作力が必要となる。
ワイヤ２１，２２の途中にターンバックルを設け、ワイヤ２１，２２が緩んだときにターンバックルによってワイヤ２１，２２を再緊張させる構成としても良い。
内戸１１と外戸１２は、袖壁部８の裏（後）側に位置するものであっても良い。
本発明は組立物置に限られず、住宅などの建物一般の開口部を開閉する引き戸に広く適用することができる。この場合の開口部は建物の中の部屋と部屋との間の開口部、或いは部屋と廊下を繋ぐ開口部などを含む。
【図面の簡単な説明】
【００３１】
【図１】本発明の一実施形態を示すもので、（ａ）は開口部を開放した組立物置の正面図、（ｂ）は開放位置での引き戸の状態を示す平面図
【図２】（ａ）は開口部を閉鎖した組立物置の正面図、（ｂ）は閉鎖位置での引き戸の状態を示す平面図
【図３】戸の支持状態を示す縦断側面図
【図４】内戸におけるローラの配設部分を示す縦断正面図
【図５】外戸におけるワイヤの端部の固定部分を示す縦断正面図
【図６】組立物置の斜視図
【図７】本発明の他の実施例を示すもので、（ａ）は図１（ｂ）相当図、（ｂ）は図２（ｂ）相当図
【図８】本発明の更に異なる他の実施例を示すもので、（ａ）は図１（ｂ）相当図、（ｂ）は図２（ｂ）相当図
【符号の説明】
【００３２】
図面中、１は組立物置（組立建物）、２は下枠、３は支柱、５は上枠、８は袖壁部、９は開口部、１０は連動式引き違い戸装置、１１は内戸（引き戸）、１２は外戸（引き戸）、１３は戸車、１５は下レール（案内部）、１６は上レール（案内部）、１７，１８は第１、第２のローラ（回転体）、２１，２２は第１、第２のワイヤ（第１，第２の索部材）、２５はカバー板（隠し部材）である。
【図１】
2009097238.tif 000003
【図２】
2009097238.tif 000004
【図３】
2009097238.tif 000005
【図４】
2009097238.tif 000006
【図５】
2009097238.tif 000007
【図６】
2009097238.tif 000008
【図７】
2009097238.tif 000009
【図８】
2009097238.tif 000010